(57)【要約】【課題】設定情報の設定および無効化を容易且つ迅速に行うことが可能な再生制御装置、再生制御装置の制御方法およびプログラムを提供する。【解決手段】再生制御装置は、音声データの再生操作を行う複数の再生操作部と、各再生操作部の設定情報が記憶されている情報端末と通信を行う通信部と、情報端末から取得した設定情報に基づいて、各再生操作部の設定を更新する設定更新部と、再生操作部ごとに、再生音声を外部に出力するＯｎＡｉｒ状態と、再生音声を外部に出力しない非ＯｎＡｉｒ状態を切り替えるＯｎＡｉｒ切り替え部と、を備え、設定更新部は、情報端末との通信が確立されたとき、非ＯｎＡｉｒ状態の再生操作部については、当該情報端末から取得した設定情報を設定し、ＯｎＡｉｒ状態の再生操作部については、当該情報端末から取得した設定情報を設定しない。【選択図】図３
2019020741.tif 000002
【特許請求の範囲】
【請求項１】
音声データの再生操作を行う複数の再生操作部と、
各再生操作部の設定情報が記憶されている情報端末と通信を行う通信部と、
前記情報端末から取得した前記設定情報に基づいて、各再生操作部の設定を更新する設定更新部と、
前記再生操作部ごとに、再生音声を外部に出力するＯｎＡｉｒ状態と、再生音声を外部に出力しない非ＯｎＡｉｒ状態を切り替えるＯｎＡｉｒ切り替え部と、を備え、
前記設定更新部は、前記情報端末との通信が確立されたとき、前記非ＯｎＡｉｒ状態の再生操作部については、当該情報端末から取得した前記設定情報を設定し、前記ＯｎＡｉｒ状態の再生操作部については、当該情報端末から取得した前記設定情報を設定しないことを特徴とする再生制御装置。
【請求項２】
前記設定情報は、前記再生操作部のカスタマイズ情報であることを特徴とする請求項１に記載の再生制御装置。
【請求項３】
前記カスタマイズ情報は、前記再生操作部に含まれる各操作子に割り当てる機能、および各操作子の操作範囲のうち、少なくとも一方を示す情報であることを特徴とする請求項２に記載の再生制御装置。
【請求項４】
音声データの再生操作を行う複数の再生操作部を備えた再生制御装置の制御方法であって、
各再生操作部の設定情報が記憶されている情報端末と通信を行う通信ステップと、
前記情報端末から取得した前記設定情報に基づいて、各再生操作部の設定を更新する設定更新ステップと、
前記再生操作部ごとに、再生音声を外部に出力するＯｎＡｉｒ状態と、再生音声を外部に出力しない非ＯｎＡｉｒ状態を切り替えるＯｎＡｉｒ切り替えステップと、を実行し、
前記設定更新ステップは、前記情報端末との通信が確立されたとき、前記非ＯｎＡｉｒ状態の再生操作部については、当該情報端末から取得した前記設定情報を設定し、前記ＯｎＡｉｒ状態の再生操作部については、当該情報端末から取得した前記設定情報を設定しないことを特徴とする再生制御装置の制御方法。
【請求項５】
前記設定情報は、前記再生操作部のカスタマイズ情報であることを特徴とする請求項４に記載の再生制御装置の制御方法。
【請求項６】
コンピューターに、請求項４または５に記載の再生制御装置の制御方法における各ステップを実行させるためのプログラム。
【発明の詳細な説明】
【技術分野】
【０００１】
本発明は、音声データの再生制御を行う再生制御装置、再生制御装置の制御方法およびプログラムに関する。
【背景技術】
【０００２】
複数のユーザーで再生装置を共有する場合、一般的には各ユーザーが使用前に各種設定を行う。例えばクラブ等では、複数のＤＪ（Disk  Jockey）によってＤＪ機器（ＤＪプレーヤー、ＤＪミキサー、ＤＪプレーヤー・ミキサー一体型装置、ＤＪコントローラーなど）を共有することが多い。したがって、各ＤＪは自分の演奏前に、ＤＪ機器のカスタマイズ（各操作子への機能の割り当て、各操作子の操作範囲（レンジ）設定など）を行う必要がある。ＤＪの交代によって楽曲が途切れると会場の雰囲気を損ねるため、できるだけ短時間でカスタマイズしなければならない。
【０００３】
そこで、機器情報を迅速に設定する技術（例えば、特許文献１）を用いてカスタマイズを行うことが考えられる。特許文献１には、クライアントからネットワークを介して通信装置に機器情報を要求し、機器情報の取得・設定を行う方法が記載されている。つまり、ＤＪ機器が、特許文献１に記載の「機器情報」に代えて、ＤＪ機器をカスタマイズするための設定情報を取得できれば、迅速にカスタマイズを行うことができる。
【先行技術文献】
【特許文献】
【０００４】
【特許文献１】特開２００４−３４１９５５号公報
【発明の概要】
【発明が解決しようとする課題】
【０００５】
ところが、特許文献１の技術をＤＪ機器に適用するためには、ＤＪ機器にネットワーク通信機能を搭載する必要がある。また、ＤＪ機器にネットワーク通信機能を搭載したとしても、演奏前のＤＪが、ネットワークの接続、設定情報が記憶されているサーバーに対するユーザー認証、設定情報の選択・要求などの一連の操作を行うのは煩わしい。さらに、演奏後は、設定情報を無効化する（元の設定に戻す）ことが望ましいが、ＤＪにとってはその操作も手間であり、設定情報の無効化を忘れてしまう可能性もある。
【０００６】
本発明は、上記の問題点に鑑み、設定情報の設定および無効化を容易且つ迅速に行うことが可能な再生制御装置、再生制御装置の制御方法およびプログラムを提供することを目的とする。
【課題を解決するための手段】
【０００７】
本発明の再生制御装置は、音声データの再生操作を行う複数の再生操作部と、各再生操作部の設定情報が記憶されている情報端末と通信を行う通信部と、情報端末から取得した設定情報に基づいて、各再生操作部の設定を更新する設定更新部と、再生操作部ごとに、再生音声を外部に出力するＯｎＡｉｒ状態と、再生音声を外部に出力しない非ＯｎＡｉｒ状態を切り替えるＯｎＡｉｒ切り替え部と、を備え、設定更新部は、情報端末との通信が確立されたとき、非ＯｎＡｉｒ状態の再生操作部については、当該情報端末から取得した設定情報を設定し、ＯｎＡｉｒ状態の再生操作部については、当該情報端末から取得した設定情報を設定しないことを特徴とする。
【０００８】
上記の再生制御装置において、設定情報は、再生操作部のカスタマイズ情報であることを特徴とする。
【０００９】
上記の再生制御装置において、カスタマイズ情報は、再生操作部に含まれる各操作子に割り当てる機能、および各操作子の操作範囲のうち、少なくとも一方を示す情報であることを特徴とする。
【００１０】
本発明の再生制御装置の制御方法は、音声データの再生操作を行う複数の再生操作部を備えた再生制御装置の制御方法であって、各再生操作部の設定情報が記憶されている情報端末と通信を行う通信ステップと、情報端末から取得した設定情報に基づいて、各再生操作部の設定を更新する設定更新ステップと、再生操作部ごとに、再生音声を外部に出力するＯｎＡｉｒ状態と、再生音声を外部に出力しない非ＯｎＡｉｒ状態を切り替えるＯｎＡｉｒ切り替えステップと、を実行し、設定更新ステップは、情報端末との通信が確立されたとき、非ＯｎＡｉｒ状態の再生操作部については、当該情報端末から取得した設定情報を設定し、ＯｎＡｉｒ状態の再生操作部については、当該情報端末から取得した設定情報を設定しないことを特徴とする。
【００１１】
上記の再生制御装置の制御方法において、設定情報は、再生操作部のカスタマイズ情報であることを特徴とする。
【００１２】
本発明のプログラムは、コンピューターに、上記の再生制御装置の制御方法における各ステップを実行させることを特徴とする。
【図面の簡単な説明】
【００１３】
【図１】再生システムのシステム構成を示すブロック図である。
【図２】ＤＪ機器の平面図である。
【図３】第１実施形態に係るＤＪ機器の機能構成を示すブロック図である。
【図４】第１実施形態に係る選択画面の一例を示す図である。
【図５】第１実施形態に係るＤＪ機器の設定更新処理を示すフローチャートである。
【図６】変形例１に係るＤＪ機器の設定更新処理を示すフローチャートである。
【図７】変形例１に係る選択画面の一例を示す図である。
【図８】変形例２に係る選択画面の一例を示す図である。
【図９】変形例３の説明図である。
【図１０】第２実施形態に係るＤＪ機器の機能構成を示すブロック図である。
【図１１】第２実施形態に係る選択画面の一例を示す図である。
【発明を実施するための形態】
【００１４】
［第１実施形態］
以下、本発明の一実施形態に係る再生制御装置、再生制御装置の制御方法およびプログラムについて、添付図面を参照しながら詳細に説明する。本実施形態では、本発明の再生制御装置を、ＤＪ機器１に適用した場合について例示する。
【００１５】
図１は、再生システムＳＹのシステム構成を示すブロック図である。再生システムＳＹは、クラブ等に設置されているＤＪ機器１と、各ＤＪが所有する情報端末２と、から成る。本実施形態では、ＤＪ機器１として、２台のデッキ（ＤＪプレーヤー）とＤＪミキサーが一体となった一体型装置を例示する。また、情報端末２は、ＤＪがＤＪプレイを行う際ＤＪブースに持ち込むものであり、ＤＪ機器１に対し楽曲データ（音声データ）や設定情報を提供するために用いる。
【００１６】
ＤＪ機器１は、制御機構１１、操作子群１２、表示画面１３、記憶部１４、音声出力部１５および近距離無線通信インターフェース（以下、「近距離無線通信Ｉ／Ｆ」と表記する）１６を備える。
【００１７】
制御機構１１は、ＣＰＵ（Central  Processing  Unit）、ＲＯＭ（Read  Only  Memory）およびＲＡＭ（Random  Access  Memory）を含み、ＤＪ機器１を統括的に制御する。
また、制御機構１１は、ＤＳＰ（Digital  Signal  Processor）を含み、各種音声処理を行う。操作子群１２は、ＤＪプレイに関する各種操作を行う。ＤＪプレイとは、楽曲の選択・ミックス再生およびＤＪエフェクトの設定・操作などを指す。
【００１８】
表示画面１３は、デッキにロードされている楽曲に関する楽曲情報（楽曲タイトル、再生時間、音声波形、ＢＰＭなど）をはじめ、各種情報を表示する。記憶部１４は、各種制御プログラムおよび制御データを不揮発に記憶する。本実施形態では、制御プログラムとして、設定更新プログラムおよび再生制御プログラムを記憶する。設定更新プログラムは、情報端末２から取得した設定情報に基づいて、ＤＪ機器１（各デッキ）の設定更新を行うためのプログラムである。設定情報とは、各デッキをＤＪの好みに応じてカスタマイズするためのカスタマイズ情報を指す。一方、再生制御プログラムは、ＤＪ機器１（各デッキ）の設定および操作に基づいて楽曲データの再生制御を行うためのプログラムである。
【００１９】
音声出力部１５は、不図示のスピーカーやヘッドホンに対し、楽曲データの再生信号を出力する。近距離無線通信Ｉ／Ｆ１６は、情報端末２と近距離無線通信を行うためのインターフェースである。ここでは、近距離無線通信としてブルートゥース通信（登録商標）を用いることを想定しているが、赤外線通信、Ｗｉ−Ｆｉ通信（登録商標）、またはケーブル等を介した有線通信により情報の入出力を行っても良い。本実施形態において近距離無線通信Ｉ／Ｆ１６は、主に情報端末２から楽曲データや設定情報を取得するために用いる。
【００２０】
情報端末２は、制御機構２１、タッチパネル２２、近距離無線通信Ｉ／Ｆ２３および記憶部２４を備える。情報端末２としては、スマートフォンなど各種タブレット端末、携帯電話、ノート型パソコンなどを用いる。
【００２１】
制御機構２１は、ＣＰＵ、ＲＯＭおよびＲＡＭを含み、情報端末２を統括的に制御する。タッチパネル２２は、各種情報の表示および各種操作に用いられる。近距離無線通信Ｉ／Ｆ２３は、ＤＪ機器１（近距離無線通信Ｉ／Ｆ１６）と近距離無線通信を行う。記憶部２４は、各種制御プログラムおよび制御データを不揮発に記憶する。本実施形態では、制御データとして設定情報を記憶する。
【００２２】
設定情報は、ＤＪ機器１と連携するための専用アプリケーション（図示省略）を用いて設定・記憶される。専用アプリケーションは、デッキのカスタマイズ情報としてデッキに含まれる「各操作子への機能の割り当て」や、デッキに含まれる「各操作子の操作範囲（レンジ）の設定」などを行う。ここで、「各操作子への機能の割り当て」には、各種エフェクトをどの操作子によって実行させるかの設定が含まれる。エフェクトとは、例えば、楽曲のオリジナルキーを自動検出し、ＤＪプレイに最適なキーに自動でチューニングする「ハーモニック」、ハイパスフィルターまたはローパスフィルターの効果を得る「フィルター」、バンドパスフィルターまたはノッチフィルターの効果を得る「スイープ」、デジタル的に音を壊す「クラッシュ」などを指す。その他、エフェクトには、再生している楽曲のテンポ（ＢＰＭ）を自動検出し、それに連動して各種エフェクトをかける「ビートエフェクト」も含まれる。また、「各操作子の操作範囲」には、周波数レンジやダイナミックレンジ、その他エフェクトの効果量を決めるためのレンジが含まれる。
【００２３】
次に、図２を参照し、ＤＪ機器１に搭載されたユーザーインターフェースについて説明する。ＤＪ機器１は、左右２つのデッキ部４１ａ，４１ｂと、その中間に設けられたミキサー部４２と、を備える。各デッキ部４１ａ，４１ｂの上部には、表示画面１３が設けられている。表示画面１３は、情報端末２から取得した設定情報を各デッキに反映させるか否かについてＤＪに選択操作を促すための選択画面Ｄａ，Ｄｂ（図４参照）を表示する。また、各デッキ部４１ａ，４１ｂの中央には、楽曲のサーチや、スクラッチ・バックスピンなどの操作を行うためのジョグダイヤル１２−１が設けられ、その下部には、ＤＪエフェクトをコントロールするための操作パッド１２−２などが設けられている。なお、特に図示しないが、各デッキ部４１ａ，４１ｂに、フェーダーやツマミなどの操作子群を設けても良い。
【００２４】
一方、ミキサー部４２は、複数のチャンネル（同図では、４チャンネル）に対応しており、中央から上部にかけて、イコライザーやチャンネルフェーダーなどのチャンネル別操作子群１２−３が設けられ、その下部には、各デッキにロードされた楽曲の混合割合を調節するためのクロスフェーダー１２−４などが設けられている。
【００２５】
次に、図３を参照し、ＤＪ機器１の機能構成について説明する。ＤＪ機器１は、主な機能構成として、通信部１１０、設定情報選択部１２０、設定更新部１３０、再生操作部１４０および再生制御部１５０を備える。
【００２６】
通信部１１０は、ＤＪ機器１の設定情報が記憶されている情報端末２と通信を行う。本実施形態のＤＪ機器１は、２つのデッキを備えているため、２台の情報端末２と同時に通信可能である。同図では、第１情報端末２に記憶されている第１設定情報をＡデッキに設定し、第２情報端末２に記憶されている第２設定情報をＢデッキに設定する場合を例示している。
【００２７】
設定情報選択部１２０は、第１設定情報選択部１２１および第２設定情報選択部１２２を含み、通信中の複数の情報端末２のうち、どの情報端末２の設定情報をどのデッキ（再生操作部１４０）に適用するかを選択する。第１設定情報選択部１２１は、図４（ａ）に示すように、取得した設定情報をＡデッキに適用するか否かを選択する選択画面Ｄａと、その選択操作を行うための操作子により実現される。また、第２設定情報選択部１２２は、図４（ｂ）に示すように、取得した設定情報をＢデッキに適用するか否かを選択する選択画面Ｄｂと、その選択操作を行うための操作子により実現される。図２に示すように、選択画面Ｄａは、Ａデッキ部４１ａの表示画面１３に表示され、Ａデッキ部４１ａに配置された操作子により操作される。また、選択画面Ｄｂは、Ｂデッキ部４１ｂの表示画面１３に表示され、Ｂデッキ部４１ｂに配置された操作子により操作される。
【００２８】
設定更新部１３０は、情報端末２から取得した設定情報に基づいて、ＤＪ機器１（各デッキ）の設定を更新する。上記のとおり設定情報とは、各デッキ部４１ａ，４１ｂのカスタマイズ情報であり、各デッキ部４１ａ，４１ｂに含まれる各操作子に割り当てる機能、および各操作子の操作範囲を示す情報を含む。また、設定更新部１３０は、各設定情報選択部１２１，１２２の選択結果に基づいてデッキごとに設定情報を取得し、各デッキの設定を変更する。なお、設定の更新は、情報端末２から取得した設定情報を各デッキ用の設定情報記憶領域（ＲＡＭなど）に記憶させることにより行う。
【００２９】
さらに、設定更新部１３０は、情報端末２との通信が解除された時点で、当該情報端末２から取得した設定情報を無効化する。例えば、Ａデッキ部４１ａに設定した設定情報の送信元となる情報端末２との通信が解除された場合は、Ａデッキ部４１ａに設定した設定情報を無効化する。また、Ｂデッキ部４１ｂに設定した設定情報の送信元となる情報端末２との通信が解除された場合は、Ｂデッキ部４１ｂに設定した設定情報を無効化する。なお、通信の解除は、ＤＪ機器１側で操作しても良いし情報端末２側で操作しても良い。また、ＤＪ機器１と情報端末２がケーブル等で接続されている場合は、ケーブルを抜くことにより通信を解除しても良い。
【００３０】
再生操作部１４０は、第１再生操作部１４１および第２再生操作部１４２を含む。第１再生操作部１４１は、Ａデッキ部４１ａの操作子を指し、Ａデッキにロードされた楽曲データの再生操作を行う。また、第２再生操作部１４２は、Ｂデッキ部４１ｂの操作子を指し、Ｂデッキにロードされた楽曲データの再生操作を行う。
【００３１】
再生制御部１５０は、第１再生制御部１５１および第２再生制御部１５２を含む。第１再生制御部１５１は、Ａデッキに設定された設定情報および第１再生操作部１４１の操作に基づいて、Ａデッキにロードされた楽曲データの再生制御を行う。また、第２再生制御部１５２は、Ｂデッキに設定された設定情報および第２再生操作部１４２の操作に基づいて、Ｂデッキにロードされた楽曲データの再生制御を行う。
【００３２】
次に、図５のフローチャートを参照し、第１実施形態に係るＤＪ機器１の設定更新処理の流れを説明する。ＤＪ機器１（制御機構１１）は、情報端末２との通信を確立すると（Ｓ０１：Ｙｅｓ）、設定情報を受信し（Ｓ０２）、各デッキ部４１ａ，４１ｂの表示画面１３に選択画面Ｄａ，Ｄｂを表示する（Ｓ０３）。ここで、いずれかのデッキ部４１ａ，４１ｂの操作により設定変更が許可されると（図４（ａ），（ｂ）に示す選択画面Ｄａ，Ｄｂで「Ｙｅｓ」が選択されると，Ｓ０４：Ｙｅｓ）、設定変更が許可された対象デッキの設定更新を行う（Ｓ０５）。
【００３３】
Ｓ０５の後、Ｓ０１：ＮｏまたはＳ０４：Ｎｏの場合は、通信が確立されていた１以上の情報端末２のうち、いずれかの情報端末２との通信が解除されたか否かを判別する（Ｓ０６）。通信が解除された場合は（Ｓ０６：Ｙｅｓ）、対象デッキの設定情報を無効化する（Ｓ０７）。また、通信が解除されていない場合は（Ｓ０６：Ｎｏ）、Ｓ０１に戻る。
【００３４】
以上説明したとおり、本実施形態によれば、ＤＪが自分の所有物である情報端末２に設定情報を登録しておくことにより、当該情報端末２をＤＪプレイ時ブース内に持ち込んでＤＪ機器１との通信を確立させるだけで設定情報の設定（デッキのカスタマイズ）を行うことができる。また、ＤＪ交代時も、自分の情報端末２の通信を解除することにより、特別な操作を行うことなく設定情報を無効化することができる。また、万が一通信解除の操作を忘れてしまった場合でも、ＤＪがブースを離れることにより、ＤＪ機器１と情報端末２の近距離無線通信が切れて設定情報が無効化されるため問題がない。また、設定情報は、デッキごとに設定・無効化が可能であるため、複数のＤＪが交代しながらＤＪプレイを行う場合に便利である。
【００３５】
なお、以下の変形例を採用可能である。
［変形例１］
上記の実施形態においてＤＪ機器１は、情報端末２と通信を確立するたびに選択画面Ｄａ，Ｄｂを表示したが、楽曲の再生終了をトリガーとして選択画面Ｄａ，Ｄｂを表示しても良い。図６は、変形例１に係るＤＪ機器の設定更新処理を示すフローチャートである。本変形例においてＤＪ機器１（制御機構１１）は、楽曲再生中に情報端末２との通信を確立すると（Ｓ１１：Ｙｅｓ）、設定情報を受信し（Ｓ１２）、ＲＡＭ等に記憶しておく。そして、各デッキで再生されている楽曲の終了を検出すると（例えば、楽曲の再生終了の数秒前に，Ｓ１３：Ｙｅｓ）、そのデッキ（対象デッキ）の表示画面１３に選択画面Ｄａまたは選択画面Ｄｂを表示する（Ｓ１４）。ここで、対象デッキの操作により設定変更が許可されると（図４（ａ），（ｂ）に示す選択画面Ｄａ，Ｄｂで「Ｙｅｓ」が選択されると，Ｓ１５：Ｙｅｓ）、対象デッキの設定更新を行う（Ｓ１６）。なお、Ｓ１７，Ｓ１８は、図５のＳ０６，Ｓ０７と同様であるため説明を省略する。このように、変形例１によれば、楽曲の終了に伴って選択画面Ｄａまたは選択画面Ｄｂを表示するため、ＤＪプレイを妨げることがない。また、一方のデッキで設定情報の設定が許可された場合は、その設定情報の設定変更を選択する選択画面Ｄａまたは選択画面Ｄｂを他方のデッキに表示させないことにより、他方のデッキを操作するＤＪによる設定情報の誤設定を防止できる。
【００３６】
なお、変形例１では、選択画面Ｄａまたは選択画面Ｄｂの表示タイミングにおいて、複数の情報端末２と通信が確立されている場合、図７（ａ），（ｂ）に示す選択画面Ｄａまたは選択画面Ｄｂを表示する。つまり、各デッキにおいて、設定対象となる情報端末２の端末ＩＤをユーザーに選択させるための選択画面Ｄａまたは選択画面Ｄｂを表示する。また、上記の実施形態でも、ＤＪ機器１の電源ＯＮ時において複数の情報端末２と通信が確立されている場合、または同時に複数の情報端末２と通信が確立された場合、図７（ａ），（ｂ）に示す選択画面Ｄａまたは選択画面Ｄｂを表示する。
【００３７】
［変形例２］
また、上記の実施形態では、各デッキに表示画面１３が設けられているＤＪ機器１を例示したが、表示画面１３が１つしか設けられていない場合は、選択画面Ｄａまたは選択画面Ｄｂの表示タイミングにおいて、図８に示すように、設定情報を適用する対象デッキをユーザーに選択させるための共通選択画面Ｄ０を表示することが好ましい。また、複数の情報端末２と通信が確立されている場合は、どの情報端末２の設定情報をどのデッキに適用するかをユーザーに選択させるための共通選択画面Ｄ０（図示省略）を表示することが好ましい。
【００３８】
［変形例３］
また、２つのデッキの設定値を同時に書き換えても良い。また、各デッキがＯｎＡｉｒ状態であるか否かに応じて設定値を書き換えても良い。本例では、ＯｎＡｉｒ状態と非ＯｎＡｉｒ状態を切り替えるＯｎＡｉｒ切り替え部を備えているものとする。ここで、ＯｎＡｉｒ状態とは、再生音声が外部に出力されている状態、つまり音声出力部１５により不図示のスピーカーに対して音声が出力されている状態を指す。これに対し、非ＯｎＡｉｒ状態とは、音声出力部１５により音声が出力されていない状態（不図示のヘッドホンに対して音声が出力され、ユーザーが楽曲をモニタリングしている状態）を指す。図９（ａ）に示すように、通信可能な情報端末２が存在しない場合は、両デッキ（両デッキ部４１ａ，４１ｂ）共に「初期値」または「最終保存の設定値」が設定される。その後、「情報端末α」が通信可能状態となると、両デッキ共に設定値を「α」に設定する（同図（ｂ）参照）。また、その後「情報端末α」が通信可能状態のまま、「情報端末β」が通信可能状態となると、ＯｎＡｉｒ状態にあるＡデッキの設定値は「α」のまま、非ＯｎＡｉｒ状態にあるＢデッキの設定値を「β」に設定する（同図（ｃ）参照）。つまり、１台の情報端末２が通信可能状態で、さらにもう１台の情報端末２が通信可能状態となったとき、ＯｎＡｉｒ状態にあるデッキは、通信可能状態となった情報端末２の設定値を設定しない。また、その後「情報端末α」が非通信状態となり、「情報端末β」のみが通信可能状態となった場合は、Ａデッキの設定値を無効化するが、「情報端末β」が通信可能状態であるため、設定値が「β」となる（同図（ｄ）参照）。つまり、「情報端末α」と通信解除されても「情報端末β」と通信可能状態であれば、設定値を「初期値」または「最終保存の設定値」に戻さず「情報端末β」の設定値「β」に書き換える。一方、設定値が「β」であったＢデッキは、「情報端末α」が非通信状態となっても、設定値は「β」のままである。さらに、その後「情報端末β」も非通信状態となった場合は、両デッキ共に設定値を「初期値」または「最終保存の設定値」に戻す（同図（ａ）参照）。なお、本例では、通信可能な情報端末２が１台のみの場合は、通信確立または通信解除に伴ってＯｎＡｉｒ状態であるか否かの判別を行うことなく設定値の書き換えを行ったが（同図（ａ）→（ｂ），（ｄ）→（ａ）参照）、通信可能な情報端末２が１台のみの場合も、非ＯｎＡｉｒ状態のデッキのみまたはＯｎＡｉｒ状態のデッキのみを対象として設定値の書き換えを行っても良い。
【００３９】
［その他の変形例］
また、上記の実施形態では、取得した設定情報をいずれのデッキに適用するかをＤＪ機器１側で設定したが、情報端末２側で指定しても良い。この場合、情報端末２で指定されたデッキの表示画面１３に選択画面Ｄａまたは選択画面Ｄｂを表示し、指定されていないデッキの表示画面１３には表示しない。
【００４０】
また、各デッキと情報端末２をケーブルやコネクタなどで物理的に接続可能とし、接続されたデッキの表示画面１３に選択画面Ｄａまたは選択画面Ｄｂを表示し、接続されていないデッキの表示画面１３には表示しない構成としても良い。
【００４１】
また、上記の実施形態においてＤＪ機器１は、設定情報としてデッキのカスタマイズ情報を取得したが、デッキだけでなくミキサーのカスタマイズ情報を情報端末２から取得可能な構成としても良い。また、２台の情報端末２から、それぞれミキサーのカスタマイズ情報を取得した場合は、どちらのカスタマイズ情報をミキサー部４２に反映させるかについて選択可能としても良い。
【００４２】
また、上記の実施形態では、２つのデッキを備えたＤＪ機器１を例示したが、１つのデッキのみを備えた構成であっても良いし３つ以上のデッキを備えた構成であっても良い。
【００４３】
また、上記の実施形態において情報端末２は、ＤＪ機器１と連携するための専用アプリケーションを用いて設定情報を設定・記憶したが、ＤＪ機器１側で設定した設定情報を、近距離無線通信Ｉ／Ｆ２３を介してＤＪ機器１から取り込み可能としても良い。
【００４４】
また、設定情報を情報端末２内に記憶しておくのではなく、ネットワーク上のサーバー（図示省略）に保存しておき、情報端末２により読み出す構成としても良い。この場合、情報端末２は、ＤＪ機器１との通信確立に伴ってＤＪ機器１から設定情報の受信命令を取得し、当該受信命令にしたがってネットワーク上のサーバーにアクセスし、設定情報を受信するようにしても良い。
【００４５】
［第２実施形態］
次に、図１０，１１を参照し、本発明の第２実施形態について説明する。上記の第１実施形態では、情報端末２に記憶されている設定情報を取得して設定更新を行ったが、本実施形態では、設定情報を予めＤＪ機器１内に記憶させておく。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００４６】
図１０は、第２実施形態に係るＤＪ機器１の機能構成を示すブロック図である。本実施形態のＤＪ機器１は、第１実施形態の構成（図３参照）に記憶部１６０を追加した構成である。記憶部１６０は、複数の情報端末２について、各情報端末２の端末ＩＤとＤＪ機器１（再生制御装置）またはデッキ（再生操作部１４０）の設定情報を関連付けて記憶する。同図では、第１情報端末２の第１端末ＩＤと第１情報端末２の所有者用の設定情報を関連付けて記憶し、第２情報端末２の第２端末ＩＤと第２情報端末２の所有者用の設定情報を関連付けて記憶する場合を例示している。
【００４７】
また、本実施形態の設定更新部１３０は、通信部１１０により通信が確立されている情報端末２の端末ＩＤを検出し、当該端末ＩＤと関連付けられている設定情報に基づいて、ＤＪ機器１または各デッキの設定を更新する。また、本実施形態の設定更新部１３０は、情報端末２との通信が解除された時点で、当該情報端末２の端末ＩＤと関連付けられた設定情報の設定を無効化する。なお、「設定を無効化する」とは、設定情報自体を消去するのではなく、元の設定（デフォルト設定またはＤＪ機器１のユーザーによって設定されたユーザー設定）に戻すことを意味する。
【００４８】
なお、本実施形態の設定情報選択部１２０（第１設定情報選択部１２１および第２設定情報選択部１２２）は、図１１（ａ），（ｂ）に示すように、通信中の情報端末２に関連付けられた設定情報を各デッキ（各再生操作部１４０）に適用するかをユーザーに選択させる。
【００４９】
このように、第２実施形態によれば、情報端末２の端末ＩＤと設定情報を予めＤＪ機器１内に記憶しておくため、情報端末２において誤って設定情報を消去してしまった場合でも、支障なくＤＪ機器１のカスタマイズを行うことができる。
【００５０】
なお、第１実施形態と第２実施形態を組み合わせても良い。つまり、ＤＪ機器１は、情報端末２との通信確立に伴って受信した設定情報を、通信解除に伴って無効化し、端末ＩＤと設定情報を関連付けて記憶しておく。そして、再度同じ端末ＩＤの情報端末２との通信を確立した場合は、記憶されている設定情報を用いるか否かの選択をユーザーに促す選択画面を表示する（図１１（ａ）・（ｂ）参照）。当該選択画面で「Ｙｅｓ」が選択された場合は、記憶されている設定情報に基づいて設定を更新する。また、「Ｎｏ」が選択された場合は、情報端末２に設定情報が記憶されているか否かを確認し、設定情報が存在する場合は、当該設定情報を用いるか否かの選択をユーザーに促す（図４（ａ）・（ｂ）参照）。
【００５１】
以上、２つの実施形態および各変形例を示したが、これらに示した再生システムＳＹ（ＤＪ機器１）の各構成要素をプログラムとして提供することが可能である。また、そのプログラムを各種記録媒体（ＣＤ−ＲＯＭ、フラッシュメモリー等）に格納して提供することも可能である。すなわち、コンピューターを再生システムＳＹ（ＤＪ機器１）の各構成要素として機能させるためのプログラム、およびそれを記録した記録媒体も、本発明の権利範囲に含まれる。
【００５２】
また、上記の実施形態では、本発明の再生制御装置をＤＪプレーヤーとミキサーの一体型装置に適用した場合を例示したが、ＤＪプレーヤー、ＤＪミキサー、ＤＪコントローラーなど他のＤＪ機器に適用しても良い。また、ＤＪ機器に限らず、他の再生装置、電子楽器、情報端末（コンピューター，ＰＣアプリケーション，タブレット端末用アプリケーションなど）に適用しても良い。また、楽曲データの再生制御のみならず、その他の音声データ（ＳＥ、ループ音源など）の再生制御を行う装置にも、本発明を適用可能である。その他、本発明の要旨を逸脱しない範囲で、適宜変更が可能である。
【００５３】
なお、確認事項として上述した実施の形態から抽出される特徴について記載する。
【００５４】
[再生制御装置１]
音声データの再生制御を行う再生制御装置であって、
前記再生制御装置の設定情報が記憶されている情報端末と通信を行う通信部と、
前記情報端末から取得した前記設定情報に基づいて、前記再生制御装置の設定を更新する設定更新部と、を備え、
前記設定更新部は、前記情報端末との通信が解除された時点で、当該情報端末から取得した前記設定情報を無効化することを特徴とする再生制御装置。
【００５５】
[再生制御装置２]
上記再生制御装置１において、
前記音声データの再生操作を行う再生操作部をさらに備え、
前記設定情報は、前記再生操作部のカスタマイズ情報であることを特徴とする。
【００５６】
[再生制御装置３]
上記再生制御装置２において、
前記カスタマイズ情報は、前記再生操作部に含まれる各操作子に割り当てる機能、および各操作子の操作範囲のうち、少なくとも一方を示す情報であることを特徴とする。
【００５７】
[再生制御装置４]
上記再生制御装置２または３において、
前記再生操作部を複数備え、
前記設定更新部は、前記再生操作部ごとに前記設定情報を取得して設定を更新することを特徴とする。
【００５８】
[再生制御装置５]
上記再生制御装置４において、
前記通信部は、複数の前記情報端末と同時に通信可能であり、
通信中の複数の前記情報端末のうち、どの情報端末の設定情報をどの再生操作部に適用するかを選択する設定情報選択部をさらに備え、
前記設定更新部は、前記設定情報選択部の選択結果に基づいて、各再生操作部の設定を変更することを特徴とする。
【００５９】
[再生制御装置６]
上記再生制御装置５において、
前記音声データは、楽曲データであり、
前記設定情報選択部は、前記楽曲データの再生終了をトリガーとして、どの情報端末の設定情報をどの再生操作部に適用するかを選択する選択画面を表示画面に表示し、ユーザーに選択操作を促すことを特徴とする。
【００６０】
[再生制御装置７]
音声データの再生操作を行う複数の再生操作部と、
各再生操作部の設定情報が記憶されている情報端末と通信を行う通信部と、
前記情報端末から取得した前記設定情報に基づいて、各再生操作部の設定を更新する設定更新部と、
前記再生操作部ごとに、再生音声を外部に出力するＯｎＡｉｒ状態と、再生音声を外部に出力しない非ＯｎＡｉｒ状態を切り替えるＯｎＡｉｒ切り替え部と、を備え、
前記設定更新部は、前記情報端末との通信が確立されたとき、前記非ＯｎＡｉｒ状態の再生操作部については、当該情報端末から取得した前記設定情報を設定し、前記ＯｎＡｉｒ状態の再生操作部については、当該情報端末から取得した前記設定情報を設定しないことを特徴とする再生制御装置。
【００６１】
[再生制御装置８]
音声データの再生制御を行う再生制御装置であって、
情報端末と通信を行う通信部と、
複数の前記情報端末について、各情報端末の端末ＩＤと前記再生制御装置の設定情報を関連付けて記憶しておく記憶部と、
前記通信部により通信が確立されている前記情報端末の端末ＩＤを検出し、当該端末ＩＤと関連付けられている前記設定情報に基づいて、前記再生制御装置の設定を更新する設定更新部と、を備え、
前記設定更新部は、前記情報端末との通信が解除された時点で、当該情報端末の端末ＩＤと関連付けられた設定情報の設定を無効化することを特徴とする再生制御装置。
【００６２】
[再生制御装置の制御方法１]
音声データの再生制御を行う再生制御装置の制御方法であって、
前記再生制御装置の設定情報が記憶されている情報端末と通信を行う通信ステップと、
前記情報端末から取得した前記設定情報に基づいて、前記再生制御装置の設定を更新する設定更新ステップと、を実行し、
前記設定更新ステップは、前記情報端末との通信が解除された時点で、当該情報端末から取得した前記設定情報を無効化することを特徴とする再生制御装置の制御方法。
【００６３】
[再生制御装置の制御方法２]
音声データの再生操作を行う複数の再生操作部を備えた再生制御装置の制御方法であって、
各再生操作部の設定情報が記憶されている情報端末と通信を行う通信ステップと、
前記情報端末から取得した前記設定情報に基づいて、各再生操作部の設定を更新する設定更新ステップと、
前記再生操作部ごとに、再生音声を外部に出力するＯｎＡｉｒ状態と、再生音声を外部に出力しない非ＯｎＡｉｒ状態を切り替えるＯｎＡｉｒ切り替えステップと、を実行し、
前記設定更新ステップは、前記情報端末との通信が確立されたとき、前記非ＯｎＡｉｒ状態の再生操作部については、当該情報端末から取得した前記設定情報を設定し、前記ＯｎＡｉｒ状態の再生操作部については、当該情報端末から取得した前記設定情報を設定しないことを特徴とする再生制御装置の制御方法。
【００６４】
[再生制御装置の制御方法３]
音声データの再生制御を行う再生制御装置の制御方法であって、
情報端末と通信を行う通信ステップと、
複数の前記情報端末について、各情報端末のＩＤと前記再生制御装置の設定情報を関連付けて記憶しておく記憶ステップと、
前記通信ステップにて通信が確立されている前記情報端末のＩＤを検出し、当該ＩＤと関連付けられている前記設定情報に基づいて、前記再生制御装置の設定を更新する設定更新ステップと、を実行し、
前記設定更新ステップは、前記情報端末との通信が解除された時点で、当該情報端末の端末ＩＤと関連付けられた設定情報の設定を無効化することを特徴とする再生制御装置の制御方法。
【００６５】
[プログラム１]
上記再生制御装置の制御方法１〜３のいずれか１つについて、
コンピューターに、再生制御装置の制御方法における各ステップを実行させるためのプログラム。
【符号の説明】
【００６６】
１：ＤＪ機器  ２：情報端末  １１：制御機構  １２：操作子群  １３：表示画面  １４：記憶部  １５：音声出力部  １６：近距離無線通信Ｉ／Ｆ  ２１：制御機構  ２２：タッチパネル  ２３：近距離無線通信Ｉ／Ｆ  ２４：記憶部  ４１：デッキ部  ４２：ミキサー部  １１０：通信部  １２０：設定情報選択部  １３０：設定更新部  １４０：再生操作部  １５０：再生制御部  １６０：記憶部  Ｄａ，Ｄｂ，Ｄ０：選択画面  ＳＹ：再生システム
【図１】
2019020741.tif 000003
【図２】
2019020741.tif 000004
【図３】
2019020741.tif 000005
【図４】
2019020741.tif 000006
【図５】
2019020741.tif 000007
【図６】
2019020741.tif 000008
【図７】
2019020741.tif 000009
【図８】
2019020741.tif 000010
【図９】
2019020741.tif 000011
【図１０】
2019020741.tif 000012
【図１１】
2019020741.tif 000013